(57)【特許請求の範囲】
【請求項１】
上、下端面の長手方向に沿って同方向に直交する断面形状が同一形状で連続する背板ユニット（２）に、前記長手方向に沿って同方向に直交する断面形状が同一形状で連続する棚板（３）が着脱自在に組み付けられるラックであって、
背板ユニット（２）の上、下端面の少なくとも一面に、隣接する背板ユニット（２）と相互に係合して結合を行う結合構造（７、８）を前記長手方向に沿って形成し、複数の背板ユニット（２）を上下方向に積層自在に連結するとともに、
背板ユニット（２）の表裏の少なくとも一面に、棚板（３）に係合する係合溝（５５）又は係合突起（６７）を前記長手方向に沿って形成し、
棚板（５１）の表面に互いの交差角度が直交する一対の係合部（５７、５８）を形成し、それぞれの係合部（５７、５８）を背板ユニット（５２）の同一の係合溝（５５）又は係合突起（６７）に係合自在とし、棚板（５１）を、起立する背板ユニット（５２）に対し、略水平と略平行のいずれにも支持することを特徴とする組立式ラック。
【請求項２】
棚板（５１）は、背板ユニット（５２）に対し略平行に支持される際に水平方向に突出するプレート（５８）を有することを特徴とする請求項１に記載の組立式ラック。
【請求項３】
棚板（６８Ｃ）の基端側端面（６８ａ）に、背板ユニット（６６）の係合溝（５５）又は係合突起（６７）に係合し棚板（６８Ｃ）を略水平に支持する係合部（６９）を形成するとともに、先端側端面（６８ｄ）に、前記係合部（６９）が係合する背板ユニット（５２）の係合溝（５５）又は係合突起（６７）と同形状の係合溝又は係合突起（７２）を形成し、基端側端面（６８ａ）に前記係合部（６９）と同形状の係合部（６９）が形成された棚板（６８Ｄ）を水平方向に連結自在としたことを特徴とする請求項１に記載の組立式ラック。
【請求項４】
上、下端面の長手方向に沿って同方向に直交する断面形状が同一形状で連続する背板ユニット（２）に、前記長手方向に沿って同方向に直交する断面形状が同一形状で連続する棚板（３）が着脱自在に組み付けられるラックであって、
背板ユニット（２）の上、下端面の少なくとも一面に、隣接する背板ユニット（２）と相互に係合して結合を行う結合構造（７、８）を前記長手方向に沿って形成し、複数の背板ユニット（２）を上下方向に積層自在に連結するとともに、
背板ユニット（２）の表裏の少なくとも一面に、棚板（３）に係合する係合溝（１９）又は係合突起（６７）を前記長手方向に沿って形成し、
棚板（６８Ｃ）の基端側端面（６８ａ）に、背板ユニット（６６）の係合溝（５５）又は係合突起（６７）に係合し棚板（６８Ｃ）を略水平に支持する係合部（６９）を形成するとともに、先端側端面（６８ｄ）に、前記係合部（６９）が係合する背板ユニット（５２）の係合溝（５５）又は係合突起（６７）と同形状の係合溝又は係合突起（７２）を形成し、基端側端面（６８ａ）に前記係合部（６９）と同形状の係合部（６９）が形成された棚板（６８Ｄ）を水平方向に連結自在としたことを特徴とする組立式ラック。
【請求項５】
上、下端面の長手方向に沿って同方向に直交する断面形状が同一形状で連続する背板ユニット（２）に、前記長手方向に沿って同方向に直交する断面形状が同一形状で連続する棚板（３）が着脱自在に組み付けられるラックであって、
背板ユニット（２）の上、下端面の少なくとも一面に、隣接する背板ユニット（２）と相互に係合して結合を行う結合構造（７、８）を前記長手方向に沿って形成し、複数の背板ユニット（２）を上下方向に積層自在に連結するとともに、
背板ユニット（２）の表裏の少なくとも一面（２ａ）に、棚板（３）の基端側に前記長手方向に沿って形成されるフックプレート（１３）を挿入し、棚板（３）を略水平に支持する展開支持溝（１０）と、フックプレート（１３）を挿入し、棚板（３）を起立する背板ユニット（２）に対し略平行に支持する収納支持溝（１１）とを形成することを特徴とする組立式ラック。
【請求項６】
フックプレート（１３）を、棚板（３）の本体に対して略４５度傾斜する方向に連設し、
背板ユニット（２）の表裏の少なくとも一面（２ａ）から斜め下方に略４５度傾斜して内方に形成された共通支持溝（１６）を、展開支持溝（１０）と収納支持溝（１１）に共用することを特徴とする請求項５に記載の組立式ラック。
【請求項７】
最下段の背板ユニット（６）の展開支持溝（１０）にフックプレート（１５）を挿入した棚板（３）を、背板ユニット（６）の底面に沿って配置し、背板ユニット（２）の転倒を防止する底板（４）としたことを特徴とする請求項５又は６のいずれか１項に記載の組立式ラック。
【請求項８】
上、下端面の長手方向に沿って同方向に直交する断面形状が同一形状で連続する背板ユニット（３２）に、前記長手方向に沿って同方向に直交する断面形状が同一形状で連続する棚板（３３）が着脱自在に組み付けられるラックであって、
背板ユニット（３２）の上、下端面の少なくとも一面に、隣接する背板ユニット（３２）と相互に係合して結合を行う結合構造（３６、３７）を前記長手方向に沿って形成し、複数の背板ユニット（３２）を上下方向に積層自在に連結するとともに、
背板ユニット（３２）の表裏の少なくとも一面に、棚板（３３）の基端側に前記長手方向に沿って形成されるフックプレート（４３）を挿入し、棚板（３３）を略水平に位置決め支持する展開支持溝（４１）と、棚板（３３）の先端側に前記長手方向に沿って形成される枠プレート（４４）を挿入し、棚板（３３）を起立する背板ユニット（３２）に対し略平行に支持する収納支持溝（４２）とを形成することを特徴とする組立式ラック。
【請求項９】
棚板（３３）に、フックプレート（４３）を展開支持溝（４１）へ挿入した状態で、背板ユニット（３２）の展開支持溝（４１）が形成された面に沿って当接するアングルプレート（４５）を形成し、枠プレート（４４）を収納支持溝（４２）に挿入した状態で、アングルプレート（４５）を起立する背板ユニット（３２）に対し略水平に突出させることを特徴とする請求項８に記載の組立式ラック。
【請求項１０】
最下段の背板ユニット（３２Ａ）に、展開支持溝（４１）と略上下対称形状の取付溝（４９）を形成し、上下面を反転させた棚板（３３）のフックプレート（４３）を取付溝（４９）に挿入するとともに、アングルプレート（４５）を背板ユニット（３２）に当接し、棚板（３３）を背板ユニット（３２）の転倒を防止する底板としたことを特徴とする請求項９記載の組立式ラック。
【請求項１１】
展開支持溝（４１）と収納支持溝（４２）は、共通する開口（３９）で、背板ユニット（３２）の表裏の一面から外方に臨むことを特徴とする請求項８乃至１０のいずれか１項に記載の組立式ラック。
【請求項１２】
背板ユニット（３２）の異なる開口（３９）間のピッチＰが、棚板（３３）のフックプレート（４３）と枠プレート（４４）の間隔Ｌに等しいことを特徴とする請求項８乃至１１のいずれか１項に記載の組立式ラック。
【請求項１３】
側板（１７）を、基端側の係止プレート（１７ｂ）を展開支持溝（１０）に挿入して、棚板（３、３３）の側方に略水平に支持することを特徴とする請求項５乃至１２のいずれか１項に記載の組立式ラック。
【請求項１４】
結合構造（７、８）を、背板ユニット（２）の表裏方向で対称形状に形成し、表裏の面を反転させた隣接する背板ユニット（２）を連結自在とすることを特徴とする請求項１乃至１３のいずれか１項に記載の組立式ラック。
【請求項１５】
棚板（６８）に、棚板（６８）に対し交差配置される側板（７３）に係合するスライドガイド部（７４）を前記長手方向に沿って形成し、側板（７３）を棚板（６８）に対し交差した状態で前記長手方向に沿ってスライド自在に支持することを特徴とする請求項１乃至１４のいずれか１項に記載の組立式ラック。
【請求項１６】
背板ユニット（２）と棚板（３）は、それぞれ前記長手方向を押出方向として成形されるアルミニウム押出成形材からなることを特徴とする請求項１乃至１５のいずれか１項に記載の組立式ラック。
【発明の詳細な説明】
【０００１】
【発明の属する技術分野】
本発明は、商品の陳列、家庭内での小物の載置等に用いるラックに関し、特に搬送時や不使用時に、場所をとらないコンパクトな形状としておくことが可能な組立式ラックに関する。
【０００２】
【従来の技術】
図１２は、この種の従来の組立式ラックを示すものである（例えば、特許文献１参照）。
【０００３】
【特許文献１】
特開平７−２５５５３５号公報（第３−４頁、図１−図４）
【０００４】
パイプ材が組み付けられた縦長の背面部材１００と、背面部材１００の左右のパイプ材１１０、１２０に固定されたパイプ材の組み合わせからなる左右一対の側面部材１３０、１４０とを備え、これらの背面部材１００と側面部材１３０、１４０に複数の棚板１５０が支持されるようになっている。
【０００５】
左右の側面部材１３０、１４０は、背面部材１００の４隅部分に設けた横棒１６０に回動可能となっている。また、各棚板１５０の支持は、基端部を背面部材１００に枢支すると共に、先端部を側面部材１３０、１４０の前側に設けた支え棒１７０に支承することにより行われる。
【０００６】
このような構造では、図１２の展開状態に対し、基端部を中心に全ての棚板１５０を上方に回動させた後、側面部材１３０、１４０を背面部材１００に重ね合うように回動させて棚板１５０を外側から押さえ、折り畳む。
【０００７】
折り畳み状態では、棚板１５０及び側面部材１３０、１４０が背面部材１００に重ね合わされた状態となるため、少ないスペース内への格納が可能となる。
【０００８】
【発明が解決しようとする課題】
しかしながら、図１２に示す従来の組立式ラックでは、背面部材１００の高さが固定されているため、ラック全体の高さを使用用途に合わせて調整することができない不便なものであった。
【０００９】
また、棚板１５０が背面部材１００の片面側に配置されるだけであるため、棚板の向きを変更することができず、背面部材１００の表裏、両側に商品の陳列ができないものとなっている。
【００１０】
また、背面部材１００及び側面部材１３０、１４０がパイプ材を一体に組み付けて使用時に展開するものであるが、折り畳んだ状態であっても、これらのパイプ材間に無駄な空間が残り、搬送や不使用時にかさばるという問題が残されている。この為、使用時に各部材を組み立てるラックも知られているが、ネジやボルト及びこれらをネジ止めする為の工具を用いて組み立てる必要があるため、組立が煩わしく、子供や高齢者が組み立てるには困難なものであった。
【００１１】
更に、上記従来の組立式ラックは、パイプ材を構成部材とするために、剛性のあるスチールを用いる必要があり、総重量が大きくなり、製造後の搬送コストが上昇するばかりでなく、屋外で商品の展示を目的に使用した場合には、錆が発生しやすく、美感を損なうとともに耐久性に劣る問題を有していた。
【００１２】
できるだけ全体を軽量化するために、棚板１５０の背面を全体に覆わず、背面部材１００間に水平に掛け渡した背側棒１８０で、棚板１５０に載置された商品、小物の後方への脱落を防止しているが、背側棒１８０の上下に隙間があるため、この間から小物などが脱落することがあった。
【００１３】
本発明は、このような従来の問題点を考慮してなされたものであり、高さや棚板の向きの変更が容易であり、移動や持ち運びの際にコンパクトな形状に収めることができ、使用時には、工具を用いずに簡単に組み立てることができる組立式ラックを提供することを目的とする。
【００１４】
また、十分な耐久性を有し、屋外での使用に好適な組立式ラックを提供することを目的とする。
【００１５】
【課題を解決するための手段】
請求項１の発明の組立式ラックは、上、下端面の長手方向に沿って同方向に直交する断面形状が同一形状で連続する背板ユニットに、前記長手方向に沿って同方向に直交する断面形状が同一形状で連続する棚板が着脱自在に組み付けられるラックであって、背板ユニットの上、下端面の少なくとも一面に、隣接する背板ユニットと相互に係合して結合を行う結合構造を前記長手方向に沿って形成し、複数の背板ユニットを上下方向に積層自在に連結するとともに、背板ユニットの表裏の少なくとも一面に、棚板に係合する係合溝又は係合突起を前記長手方向に沿って形成し、
棚板の表面に互いの交差角度が直交する一対の係合部（５７、５８）を形成し、それぞれの係合部を背板ユニットの同一の係合溝又は係合突起に係合自在とし、棚板を、起立する背板ユニットに対し、略水平と略平行のいずれにも支持することを特徴とする。
【００１６】
このような構造では、棚板を、背板ユニットの任意の係合溝や係合突起に係合させて組み立てるより、商品や小物を陳列するラックとなる。
【００１７】
長手方向に沿って同方向に直交する断面形状が同一形状で連続する背板ユニットと棚板は、押出成形若しくは射出成形によって、複雑な形状の結合構造や個々の断面形状を、所望のままに容易に形成できる。特に、係合溝や係合突起と、これらの溝や突起に係合する棚板の長手方向に対して直交する断面形状を、任意で複雑な断面形状とすることができるので、棚板の背板ユニットからの脱落を防止できる。
【００１８】
背板ユニットは、隣接する背板ユニット間と係合して積層自在に連結するので、ラック全体の高さを、用途に合わせて任意に変更できる。
【００１９】
棚板は、背板ユニットの係合溝若しくは係合突起に係合して組み付ける構造であるため、背板ユニットと棚板を個々に分離することができ、移動や持ち運び等の取り扱い性が飛躍的に向上する。
【００２０】
商品陳列のための棚板を略水平方向と略鉛直方向との間で支持する形態変更は、棚板の一対の係合部を背板ユニットの係合溝若しくは係合突起に対して係合し直すだけなので、特定の工具などを用いずに、簡単に行うことができる。
【００２１】
同一の係合溝若しくは係合突起で、棚板を、略水平方向と略鉛直方向に支持できるので、背板ユニットの成形が容易で、しかも背板ユニットの表裏面に係合溝や係合突起を形成するために生じる凹凸が減少し、美感を損なうことがなく、また、背板ユニットの構造強度が保たれる。
【００２２】
請求項２の発明の組立式ラックは、棚板が、背板ユニットに対し略平行に支持される際に水平方向に突出するプレートを有することを特徴とする。
【００２３】
棚板が、鉛直方向に起立する背板ユニットに対して、略平行に支持される収納状態であっても、プレートが水平方向に突出するので、場所をとらない小物を載置する小棚として作用する。
【００２４】
請求項３の発明の組立式ラックは、棚板の基端側端面に、背板ユニットの係合溝又は係合突起に係合し棚板を略水平に支持する係合部を形成するとともに、先端側端面に、前記係合部が係合する背板ユニットの係合溝又は係合突起と同形状の係合溝又は係合突起を形成し、基端側端面に前記係合部と同形状の係合部が形成された棚板を水平方向に連結自在としたことを特徴とする。
【００２５】
また、請求項４の発明の組み立て式ラックは、上、下端面の長手方向に沿って同方向に直交する断面形状が同一形状で連続する背板ユニットに、前記長手方向に沿って同方向に直交する断面形状が同一形状で連続する棚板が着脱自在に組み付けられるラックであって、背板ユニットの上、下端面の少なくとも一面に、隣接する背板ユニットと相互に係合して結合を行う結合構造を前記長手方向に沿って形成し、複数の背板ユニットを上下方向に積層自在に連結するとともに、背板ユニットの表裏の少なくとも一面に、棚板に係合する係合溝又は係合突起を前記長手方向に沿って形成し、棚板の基端側端面に、背板ユニットの係合溝又は係合突起に係合し棚板を略水平に支持する係合部を形成するとともに、先端側端面に、前記係合部が係合する背板ユニットの係合溝又は係合突起と同形状の係合溝又は係合突起を形成し、基端側端面に前記係合部と同形状の係合部が形成された棚板を水平方向に連結自在としたことを特徴とする組立式ラック。
【００２６】
請求項３又は請求項４の発明では、棚板が略水平方向に連結自在とされるので、連結する棚板の数を調整して、略水平方向に支持される棚板の棚受け面の大きさを、載置する小物の大きさに合わせて調整できる。
【００２７】
請求項５の発明の組立式ラックは、上、下端面の長手方向に沿って同方向に直交する断面形状が同一形状で連続する背板ユニットに、前記長手方向に沿って同方向に直交する断面形状が同一形状で連続する棚板が着脱自在に組み付けられるラックであって、
背板ユニットの上、下端面の少なくとも一面に、隣接する背板ユニットと相互に係合して結合を行う結合構造を前記長手方向に沿って形成し、複数の背板ユニットを上下方向に積層自在に連結するとともに、背板ユニットの表裏の少なくとも一面に、棚板の基端側に前記長手方向に沿って形成されるフックプレートを挿入し、棚板を略水平に支持する展開支持溝と、フックプレートを挿入し、棚板を起立する背板ユニットに対し略平行に支持する収納支持溝とを形成することを特徴とする。
【００２８】
このような構造では、棚板のフックプレートを、背板ユニットの任意の収納支持溝に挿入して組み立てることにより、商品や小物を陳列するラックとなる。
【００２９】
長手方向に沿って同方向に直交する断面形状が同一形状で連続する背板ユニットと棚板は、押出成形若しくは射出成形によって、複雑な形状の結合構造や個々の断面形状を、所望のままに容易に形成できる。特に、収納支持溝や展開支持溝と、これらの溝に挿入されるフックプレートの縦断面形状を、任意で複雑な断面形状とすることができるので、棚の溝からの脱落を防止できる。
【００３０】
背板ユニットは、隣接する背板ユニット間と係合して積層自在に連結するので、ラック全体の高さを、用途に合わせて任意に変更できる。
【００３１】
棚板は、フックプレートの挿入により組み付けられる構造であるため、背板ユニットと棚板を個々に分離することができ、移動や持ち運び等の取り扱い性が飛躍的に向上する。
【００３２】
商品陳列のための展開状態及び格納のための収納状態の形態変更は、背板ユニットの展開支持溝と収納支持溝間で、棚板のフックプレートを差し替えるだけなので、特定の工具などを用いずに、簡単に行うことができる。
【００３３】
請求項６の発明の組立式ラックは、フックプレートを、棚板の本体に対して略４５度傾斜する方向に連設し、背板ユニットの表裏の少なくとも一面から斜め下方に略４５度傾斜して内方に形成された共通支持溝を、展開支持溝と収納支持溝に共用することを特徴とする。
【００３４】
水平とした棚板の基端側から斜め下方に傾斜するフックプレートを共通支持溝へ挿入すると、共通支持溝は展開支持溝として作用し、棚板が水平に支持され、鉛直方向に起立する棚板の基端（下端）側から斜め下方に傾斜するフックプレートを、共通支持溝へ挿入すると、共通支持溝は収納支持溝として作用し、棚板が起立する背板ユニットに平行に鉛直方向に支持される。
【００３５】
展開支持溝と収納支持溝を一つの共通支持溝で兼用できるので、金型の加工が容易で、しかも背板ユニットの表裏面に支持溝を形成するために生じる凹凸が減少し、美感を損なうことがなく、また、背板ユニットの構造強度が保たれる。
【００３６】
請求項７の発明の組立式ラックは、最下段の背板ユニットの展開支持溝にフックプレートを挿入した棚板を、背板ユニットの底面に沿って配置し、背板ユニットの転倒を防止する底板としたことを特徴とする。
【００３７】
最下段の背板ユニットの展開支持溝に、フックプレートを挿入し棚板を組み付けると、棚板が背板ユニットを起立支持し、その倒れを防止する底板として作用する。底板を、棚板と別に用意する必要がなく、また、棚板と同様な取り付けが可能となる。
【００３８】
請求項８の発明の組立式ラックは、上、下端面の長手方向に沿って同方向に直交する断面形状が同一形状で連続する背板ユニットに、前記長手方向に沿って同方向に直交する断面形状が同一形状で連続する棚板が着脱自在に組み付けられるラックであって、
背板ユニットの上、下端面の少なくとも一面に、隣接する背板ユニットと相互に係合して結合を行う結合構造を前記長手方向に沿って形成し、複数の背板ユニットを上下方向に積層自在に連結するとともに、背板ユニットの表裏の少なくとも一面に、棚板の基端側に前記長手方向に沿って形成されるフックプレートを挿入し、棚板を略水平に位置決め支持する展開支持溝と、棚板の先端側に前記長手方向に沿って形成される枠プレートを挿入し、棚板を起立する背板ユニットに対し略平行に支持する収納支持溝とを形成することを特徴とする。
【００３９】
長手方向に沿って同方向に直交する断面形状が同一形状で連続する背板ユニットと棚板は、押出成形若しくは射出成形によって、複雑な形状の結合構造や個々の断面形状を、所望のままに容易に形成できる。特に、収納支持溝や展開支持溝と、これらの溝に挿入されるフックプレート、枠プレートの縦断面形状を、任意で複雑な断面形状とすることができるので、棚の溝からの脱落を防止できる。
【００４０】
背板ユニットは、隣接する背板ユニット間と係合して積層自在に連結するので、ラック全体の高さを、用途に合わせて任意に変更できる。
【００４１】
棚板は、フックプレートの挿入により組み付けられる構造であるため、背板ユニットと棚板を個々に分離することができ、移動や持ち運び等の取り扱い性が飛躍的に向上する。
【００４２】
商品陳列のための展開状態及び格納のための収納状態の形態変更は、背板ユニットの展開支持溝と収納支持溝間で、棚板のフックプレート若しくは枠プレートの挿入を差し替えるだけなので、特定の工具などを用いずに、簡単に行うことができる。
【００４３】
請求項９の発明の組立式ラックは、棚板に、フックプレートを展開支持溝へ挿入した状態で、背板ユニットの展開支持溝が形成された面に沿って当接するアングルプレートを形成し、枠プレートを収納支持溝に挿入した状態で、アングルプレートを起立する背板ユニットに対し略水平に突出させることを特徴とする。
【００４４】
アングルプレートは、棚板が水平に支持される展開状態で、背板ユニットの一面に当接するので、展開状態で基端を中心とする棚板の回転を防止する。また、棚板が起立する背板ユニットと平行に支持される収納状態で、アングルプレートは、水平に突出するので、場所をとらない小物を載置する小棚として作用する。
【００４５】
請求項１０の発明の組立式ラックは、最下段の背板ユニットに、展開支持溝と略上下対称形状の取付溝を形成し、上下面を反転させた棚板のフックプレートを取付溝に挿入するとともに、アングルプレートを背板ユニットに当接し、棚板を背板ユニットの転倒を防止する底板としたことを特徴とする。
【００４６】
最下段の背板ユニットの取付溝に、フックプレートを挿入するとともにアングルプレートを背板ユニットに当接させると、棚板が背板ユニットを起立支持し、その倒れを防止する底板として作用する。底板を、棚板と別に用意する必要がなく、また、棚板と同様な取り付けが可能となる。
【００４７】
請求項１１の発明の組立式ラックは、展開支持溝と収納支持溝が、共通する開口で、背板ユニットの表裏の一面から外方に臨むことを特徴とする。
【００４８】
展開支持溝と収納支持溝が共通の開口で外方に臨むので、背板ユニットの表裏面での凹凸が減少し、美感を損なうことがなく、また、背板ユニットの構造強度が保たれる。
【００４９】
請求項１２の発明の組立式ラックは、背板ユニットの異なる開口間のピッチが、棚板のフックプレートと枠プレートの間隔に等しいことを特徴とする。
【００５０】
開口間のピッチを、棚板のフックプレートと枠プレート間の間隔に一致させるので、一方の枠プレートを収納支持溝へ挿入し、収納状態とする際に、フックプレートを隣接する開口内に収容させることができ、棚板を背板ユニットに密着して平行に支持できる。
【００５１】
請求項１３の発明の組立式ラックは、側板を、基端側の係止プレートを展開支持溝に挿入し、棚板の側方に略水平に支持することを特徴とする。
【００５２】
側板は、棚板と同様に背板ユニットに取り付けることができ、また、棚板の側方に側板が支持されることにより、棚板上の商品の側方への落下を防止できる。
【００５３】
請求項１４の発明の組立式ラックは、結合構造を、背板ユニットの表裏方向で対称形状に形成し、表裏の面を反転させた隣接する背板ユニットを連結自在とすることを特徴とする。
【００５４】
背板ユニットに形成した結合構造が、背板ユニットが同じ向きの状態だけでなく反対の向きの状態であっても背板ユニットを相互に結合するため、背板ユニットに取り付ける棚板の向きを任意に変更できる。
【００５５】
表裏いずれにも、棚を水平に支持でき、両側に棚を支持する場合には、背板ユニットに働く回転モーメントが相殺され、ラック全体が倒れにくい。
【００５６】
請求項１５の発明の組立式ラックは、棚板に、棚板に対し交差配置される側板に係合するスライドガイド部を前記長手方向に沿って形成し、側板を棚板に対し交差した状態で前記長手方向に沿ってスライド自在に支持することを特徴とする。
【００５７】
側板を棚板上の長手方向に沿った任意の位置に支持することができ、棚板の棚受け面をしきる仕切り板として作用させることができる。
【００５８】
請求項１６の発明の組立式ラックは、背板ユニットと棚板が、それぞれ前記長手方向を押出方向として成形されるアルミニウム押出成形材からなることを特徴とする。
【００５９】
背板ユニットと棚板は、アルミニウム押出成形材からなるので、軽量で、錆が発生することがなく、屋外の使用に耐えることができ、汎用性のあるラックとすることができる。また、アルミニウム押出成形材によって形成するため、複雑な形状の結合構造や個々の断面形状を、押出成形の際に同時に所望のまま簡単に形成できる。
【００６０】
【発明の実施の形態】
以下、本発明を、図１乃至図１１に示す各実施の形態により、具体的に説明する。尚、以下に説明する第１乃至第４の各実施の形態において、同一若しくは相当する構成の部材、部位には、同一の符号を付して対応させている。
【００６１】
図１乃至図３は、本発明の第１実施の形態に係る組立式ラック１であり、図１は、棚板３を略水平状態に支持した展開状態にある斜視図、図２は、同側面図、図３は、棚板３を鉛直方向に起立する背板ユニット２に対し、略平行に支持した収納状態の側面図を示す。
【００６２】
この実施の形態の組立式ラック１は、複数の背板ユニット２、２・・と、複数の棚板３、３・・を備え、背板ユニット２の内の最下段の背板ユニットが脚部ユニット６と、最下方の棚板が、底板４となっている。
【００６３】
背板ユニット２は、同じ厚みの背板ユニット２が上下方向に積層され、その最下段の脚部ユニット６は、裏面（図２において左側の面）に下方に向かって幅広となったテーパー状の転倒防止突部６ｂが一体に形成されている。
【００６４】
脚部ユニット６を含む背板ユニット２は、上、下端面の長手方向（以下、この方向を長手方向という）に沿って、その長手方向に直交する断面形状（図２と図３において紙面と平行な面で切断した断面形状）が同一形状で連続する形状に形成され、ここでは、長手方向を押出方向とするアルミニウム押出成形材によりこのような形状の背板ユニット２を成形している。
【００６５】
各背板ユニット２の上、下端面、すなわち隣接する背板ユニット２との対向面には、相互に係合して背板ユニット２を結合する結合構造が、前記押し出し成形の際に形成される。この実施の形態において、結合構造は、下側の背板ユニット２の上端面に、その長手方向に沿って突出した凸条７と、この凸条７が嵌合するように上側の背板ユニット２の下端面に長手方向に沿って形成された凹溝８とから構成されている。従って、凸条７及び凹溝８を嵌合させることにより、背板ユニット２を任意段数で積み重ねることができ、ラック１の高さを任意に変更することができる。
【００６６】
なお、脚部ユニット６の上端面には、背板ユニット２と同形状の凸条７が形成され、これによりその上の背板ユニット２の凹溝８が嵌合して積み重ねられる。
【００６７】
凸条７と凹溝８の縦断面形状は、表裏方向（図２、図３において左右方向）で対称形状となっているので、背板ユニット２を同じ向きで結合できるばかりでなく、表裏面を交換して結合することもできる。ここでは、脚部ユニット６の上方に積み重ねられた背板ユニット２の向きを交換し、図中左側の面を表面２ａとしている。
【００６８】
脚部ユニット６を除く各背板ユニット２の表面２ａには、棚板３を支持するために棚板３に係合する係合溝として作用する共通支持溝１６が形成されている。共通支持溝１６は、後述するフックプレート１３より僅かに幅広の溝幅で、表面２ａから斜め下方に略４５度傾斜して内方に向かって凹設された構造となっており、背板ユニット２の長手方向に沿って同じ断面形状で連続している。
【００６９】
共通支持溝１６は、展開支持溝１０と収納支持溝１１を兼ねるもので、この溝１６に、棚板３の基端側に略４５度傾斜して連設された後述のフックプレート１３を挿入することにより、棚板３を展開状態または収納状態で取り付けることができる。
【００７０】
なお、脚部ユニット６には、その表面６ａに開口１２のみを共通にした展開支持溝１０と収納支持溝１１が別々に形成され、それぞれ開口１２から内方に向かって斜め上方と斜め下方に略４５度傾斜させた方向に形成されている。
【００７１】
棚板３と底板４も、背板ユニット２及び脚部ユニット６と同様に、長手方向に沿って、その長手方向に直交する断面形状が同一形状で連続する形状となっているもので、本実施の形態では、長手方向を押出方向とするアルミニウム押出成形材により形成されている。
【００７２】
棚板３は、商品、小物などの置物５を載置し、商品を展示したり、小物を整理して陳列するものであり、複数の棚板３の基端から先端までの棚受け幅を同一幅としてそろえてもよいが、ここでは、自由度を拡大するため、互いに異なる棚受け幅の棚板３、３が用いられる。
【００７３】
各棚板３の基端部には、背板ユニット２の共通支持溝１６に挿入され、係合部として作用するフックプレート１３が長手方向に沿って形成されている。フックプレート１３は、棚板３の本体を水平にした状態で、その基端部から斜め下方に略４５度傾斜した状態で一体に連設されるものである。フックプレート１３の厚さは、共通支持溝１６の溝幅より僅かに薄く、フックプレート１３を無理なく共通支持溝１６へ挿入しまた、簡単に抜け出ないようになっている。
【００７４】
各棚板３の先端部には、枠プレート１４が長手方向に沿って上方（フックプレート１３が傾斜する逆側）に突出する状態で一体に形成されている。枠プレート１４は、棚板３が展開状態で支持された際に、棚板３に載置された置物５の前方への落下を防止する。
【００７５】
底板４は、棚板３より肉厚の本体と、脚部ユニット６の展開支持溝１０若しくは収納支持溝１１のいずれかに挿入されるフックプレート１５と、枠プレート１４を備えている。底板４のフックプレート１５は、他の棚板３のフックプレート１３と異なり、水平とした底板４の基端部から斜め上方に略４５度傾斜した状態で一体に連設されている。底板４は、肉厚とすることにより、フックプレート１５が、展開支持溝１０に挿入され、底板４が略水平に支持される展開状態で、底板４の下面が脚部ユニット６の底面に同一面で連続し、ラック１全体の転倒を防止している。
【００７６】
この第１の実施の形態に係るラック１を使用する場合には、図１及び図２に示すように、凸条７と凹溝８を嵌合させることにより、脚部ユニット６の上に必要な個数の背板ユニット２を順次積み重ねる。積層する背板ユニット２とその数を調整することにより、ラック２全体の高さを任意に設定する。
【００７７】
この組立に前後して、脚部ユニット６の開口１２から展開支持溝１０に、底板４のフックプレート１５を挿入し、底板４を脚部ユニット６に組み付け、ラック１全体の転倒を防止する。
【００７８】
その後、各背板ユニット２の共通支持溝１６へ、フックプレート１３を下向きに傾斜させた状態で挿入する。この挿入によって、共通支持溝１６は展開支持溝１０として作用し、それぞれの棚板３を水平に保持した展開状態とすることができ、図１と図２に示すように、各棚板３上に必要な置物５を載置できる。
【００７９】
図３は、ラック１を用いないときの棚板３の収納状態を示すもので、それぞれの棚板３を、フックプレート１３が背板ユニット２の下端で背板ユニット２の方向に傾斜するように背板ユニット２に沿って起立させ、フックプレート１３を共通支持溝１６へ挿入して収納状態とする。展開状態から収納状態とする場合には、展開状態にある背板ユニット２のフックプレート１３を共通支持溝１６から引き抜いた後、棚板３の上下面を反転させて起立させ、再び同じ共通支持溝１６へフックプレート１３を挿入することで収納状態となる。
【００８０】
この収納状態では、共通支持溝１６は、収納支持溝１１として作用し、各棚板３が起立する背板ユニット２に対して、略平行に配置される。特に、棚板３の枠プレート１４は、背板ユニット２の表面２ａ側に突出しないので、背板ユニット２の表裏面に近接して棚板３が起立支持される。
【００８１】
また、底板４は、フックプレート１５を、脚部ユニット６の展開支持溝１０から引き抜き、フックプレート１５の挿入角度を変えて収納支持溝１１へ挿入することにより、脚部ユニット６に沿って起立支持される収納状態となる。
【００８２】
このように、棚板３と底板４は、背板ユニット２の前後方向に突出して嵩張ることがなく、コンパクトにまとめることができるため、ラック１全体を格納するためのスペースを節約することができる。
【００８３】
また、ラック１を構成する背板ユニット２と棚板３が、本実施の形態では、アルミニウム押出成形材によって成形されているため、全体を軽量とすることができ、取り扱い性が向上すると共に、錆びることがないため、屋外での使用が可能となり、使用範囲を増大させることができる。
【００８４】
また、背板ユニット２を同じ向きだけでなく、反対の向きであっても相互に結合できるため、棚板３の向きを任意に変更することができる。これらにより、ラック１全体の形状やバランスを、載置する置物５や陳列形態に合わせることができる。
【００８５】
さらに、背板ユニット２が凸条７及び凹溝８の嵌合によって積み重ねられると共に、棚板３がフックプレート１３の挿入によって組み付けられる構造であり、ラック１の組み立てに際して、ねじや接着剤を用いる必要がなく、組み立てに熟練を要することがない。従って、展開及び折り畳みの間での形態変更が容易となり、作業性が向上する。逆に、各部材の分解が簡単であり、分解した状態で持ち運び等を行うことにより取り扱い性が向上する。
【００８６】
この実施の形態において、背板ユニット２の倒れを防止するために底板４を脚部ユニット６に組み付けているが、底板４は、棚板３と同様に成形し、同様に脚部ユニット６と分離して組み立てることができる。
【００８７】
尚、上記実施の形態において、展開状態では、棚板３及び棚板３に載せられた置物５の荷重と、これらの荷重によって生じる回転モーメントによってフックプレート１３が展開支持溝１０（共通支持溝１６）の内面に当接するので、相互に大きな摩擦力が発生し、展開支持溝１０からフックプレート１３が不用意に抜けでる恐れがない。
【００８８】
図４は、第１実施の形態のラック１に、側板１７を更に組み付けた第２の実施の形態を示す。
【００８９】
側板１７は、棚板３と同様に、略長方形状の本体１７ａの基端部にフックプレート１３と同形状の係止プレート１７ｂを備えている。従って、係止プレート１７ｂも、水平とした側板１７の基端部から斜め下向きに略４５度傾斜した状態で連設され、背板ユニット２の共通支持溝１６に挿入自在となっている。
【００９０】
側板１７は、フックプレート１３を、背板ユニット２の展開支持溝１０に挿入して棚板３を取り付けた後、棚板３の側方から、係止プレート１７ｂを共通支持溝１６に挿入し組み付ける。この挿入により、側板１７は、棚板３と横並びに水平状態に支持される。尚、図４では、棚板３の一側にのみ側板１７を取り付けているが、逆側からも同様の方法で側板１７を取り付け、一対の側板１７、１７間に棚板３を配置するようにしてもよい。
【００９１】
上述の側板１７は、アルミニウムの押出品、アルミニウムの加工品（レーザー加工、ウォータージェット加工）、プラスチック、プラスチックの射出成形品等、任意の材料で形成できるが、ここでは、フックプレート１３を設けた棚板３と同様に、長手方向を押し出し方向とするアルミニウム押出成形材によって成形している。アルミニウム押し出し成形で成形することにより、側板１７も軽量で、錆にくいばかりか、係止プレート１７ｂは、フックプレ−ト１３と同形状なので、棚板３の支持に用いる共通支持溝１６をその支持に用いることができ、更に、側板１７自体は、種々の形状とすることができる。
【００９２】
この第２の実施の形態では、第１実施の形態の作用に加えて、棚板３との横並びに側板１７を配置するため、棚板３上に載置された商品の落下を防止することができる。さらに、側板１７に商標を表示したり、自転車の輪郭等の特殊形状の輪郭とすることができ、載置された商品に関する表示を可能とするとともに、ラック１を商品の陳列棚や販促キャンペーン用品として提供する場合には、商品の広告機能を備え、嗜好に富んだデザインのラックとすることができる。
【００９３】
一方、従来のラックでは、側板１７が水平に展開された棚板３を支持する作用を有しているため、構造上その形状が制約されたり、取り除くことができないが、本発明では、棚板３が独立して背板ユニット２に水平に支持されるので、側板１７を上記のように任意の形状とすることができ、また、第１実施の形態のように取り除くこともできる。
【００９４】
側板は、更に背板ユニット２の共通支持溝１６に対してのみならず、種々の部位に組み付けることができる。図５は、上述のラック１に対して、種々の方法で側板を組み付ける本発明の第３実施の形態を示す斜視図である。
【００９５】
図中１８は、背板ユニット２のガイド溝１９に係合する側板で、基端部には、ガイド溝１９と係合する係合プレート１８ａが形成されている。係合プレート１８ａをガイド溝１９へ係合すると、側板１８は、略水平に支持された棚板３の棚受け面上に交差した状態で支持される。ガイド溝１９は、長手方向に沿って同一断面形状で連続し、側板１８を長手方向に沿ってスライド自在に支持するスライドガイド部として作用するもので、棚受け面上に交差させた状態で長手方向の任意の位置に支持することができる。従って、側板１８を棚受け面の中間位置に支持すれば、棚受け面をしきる仕切り板とすることができる。
【００９６】
また、図中に示す側板２０、２１のように、棚板３の先端部に形成されたガイド突起２２に係合させて、組み付けることもできる。ガイド突起２２も、長手方向に沿って同一の断面形状で連続し、側板１８を長手方向に沿ってスライド自在に支持するスライドガイド部として作用する。
【００９７】
側板２０、２１は、それぞれガイド突起２２に係合して、棚板３の表面側と裏面側で交差状態で支持されるもので、下方に支持される側板２１は、その下段の棚受け面をしきる仕切り板とするなど、棚板の用途に合わせて所望形状とした側板を組み付けることができる。
【００９８】
尚、図中最上段の棚板３Ａには、更に上下に支棚２３、２４が組み付けられるようになっている。支棚２３、２４は、各基端側に、棚板３Ａに向かって断面Ｌ字状の係止フック２３ａ、２４ａが形成され、棚板３Ａの対向面に形成された棚受けフック３ａ、３ａにそれぞれ係止することによって略水平に支持される。
【００９９】
このように支棚２３、２４を、棚板３Ａに対し上下にわずかな隙間を隔てて平行に配置すると、背板ユニット２に棚板３を支持するための共通支持溝１６を新たに形成することなく、棚受け面を増加させることができ、ＣＤのように薄い小物を支棚２３、２４に区分けしそれぞれの棚受け面に整理して載置する等の利用ができる。
【０１００】
上述の第１乃至第３実施の形態では、最下段の背板ユニット（脚部ユニット６）を除き、展開支持溝１０と収納支持溝１１を、背板ユニット２に形成された同一の共通支持溝１６で兼用するものであったが、図６の組立式ラック９に示すように、それぞれ別に形成してもよい。
【０１０１】
この第４実施の形態に係る組立式ラック９では、フックプレート１３Ａが、水平とした棚板３の基端側から斜め上方に略４５度傾斜して連設されるものであり、展開支持溝１０と収納支持溝１１は、背板ユニット２の表裏の少なくとも一面２ａで外方に臨む共通の開口１２から、それぞれ内方に向かって斜め上方と、斜め下方に略４５度傾斜して形成される。
【０１０２】
展開状態では、フックプレート１３Ａを、展開支持溝１０に圧入して、棚板３を水平に支持し、収納状態では、フックプレート１３Ａを収納支持溝１１に挿入して、棚板３を背板ユニット２に沿って起立支持する。
【０１０３】
図７は、本発明に係る背板ユニット間の連結に適用可能な他の結合構造を示すもので、背板ユニット２、２間を、より強固にかつ傾斜させずに結合可能な結合構造を示すものである。
【０１０４】
図７に示すように、アルミニウム押出成形材からなる背板ユニット２、２は、上下に積み重ねられるものであり、上方の背板ユニット２の下端面には、相互に接近する方向に傾斜した一対の弾性リブ２５が下方向に延びるように形成されていると共に、一対の弾性リブ２５の基端外側に、一対の位置決め凹溝２６が形成されている。これに対し、下方の背板ユニット２の上端面には弾性リブ２５と噛み合う一対の噛み合いリブ２７が形成されると共に、噛み合いリブ２７の外側には、位置決め凹溝２６へ入り込む一対の位置決め突条２８が形成されている。
【０１０５】
背板ユニット２、２は、それぞれ図７の紙面に直交する方向を押し出し方向として成形され、従って、これらの弾性リブ２５、位置決め凹溝２６、噛み合いリブ２７及び位置決め突条２８は、各背板ユニット２の長手方向に沿って同じ断面形状で延びている。
【０１０６】
この結合構造では、上方の背板ユニット２の位置決め凹溝２６へ、対向する下方の背板ユニット２の位置決め突条２８を挿入させていくと、弾性リブ２５が弾性変形しながら噛み合いリブ２７を乗り越え、乗り越えた後復帰する。従って、弾性リブ２５と噛み合いリブ２７の噛み合いにより、上下の背板ユニット２、２間は外れず、また、その両外側で、位置決め突条２８が位置決め凹溝２６に位置決めされるので、鉛直方向で傾斜することなく、背板ユニット２、２間が積層される。また、背板ユニット２、２間に引き離す力を加えれば、弾性リブ２５が弾性変形して再び噛み合いリブ２７を乗り越え、両者の結合を簡単に解くことができる。
【０１０７】
背板ユニット２を強固に組み付けることができ、多段に積層しても傾斜しにくく、倒れにくいラック１とするために、このような複雑な断面形状の結合構造とする場合であっても、背板ユニット２の押出成形の際に、容易に形成することができる。
【０１０８】
図８は、収納状態とする方法が異なる本発明の第５の実施の形態に係る組立式ラック３１を示し、複数の背板ユニット３２、３２・・と、複数の棚板３３、３３・・とを備えている。本実施の形態では、複数の棚板３３に、同一形状の棚板を用いて部品点数を減少させ、棚受け幅を統一させている。
【０１０９】
背板ユニット３２と、棚板３３は、上述実施の形態と同様に、それぞれそれぞれ紙面と直交する方向を押出方向（長手方向）とするアルミニウム押出成形材で成形され、それぞれ、中空状に形成され軽量化が図られている。背板ユニット３２の上、下端面には、隣接する背板ユニットとの結合を行うための結合構造が形成され、任意数の背板ユニット３２、３２・・を上下方向に積み重ねて、ラック３１の高さを任意に設定できるようになっている。
【０１１０】
この実施の形態における結合構造は、背板ユニット３２の上端面に、同一方向に屈曲したＬ字形の複数のフック鉤３６が形成されていると共に、背板ユニット３２の下端面に、フック鉤３６と反対方向に屈曲したＬ字形の複数の係止鉤３７が形成されることにより構成されている。この結合構造では、上方の背板ユニット３２をその下端面を中心に図中反時計回りに回転させ、フック鉤３６と係止鉤３７とを互いに噛み合わせ、下方の背板ユニット３２と結合している。なお、最下段の背板ユニット３２Ａは、上端面にフック鉤３６が形成されるのみであり、最下段の背板ユニット３２Ａの下端部には、裏面側に床面や地面等に接地される水平な底板３８が一体に突設されている。
【０１１１】
最下段の背板ユニット３２Ａを除く他の背板ユニット３２（図示例では１個）には、棚板３３を取り付けるための溝構造が、表裏いずれかの同一面における上下２箇所に形成されている。溝構造は、内方から開口縁に向かって上方が広がった開口３９と、略鉛直方向に上向きの展開支持溝４１と、内方に向かって斜め下方に傾斜する下向きの収納支持溝４２とからなり、展開支持溝４１と収納支持溝４２は、共通する開口３９を介して外部に連通している。上向きの展開支持溝４１は、棚板３３を水平な展開状態で支持する際に使用され、下向きの収納支持溝４２は、棚板３３を、背板ユニット３２に沿った収納状態で支持する際に使用される。
【０１１２】
最下段の背板ユニット３２Ａには、底板として用いる棚板３３を取り付けるための取付溝４９が形成されている。取付溝４９は、上下面を反転させた棚板３３を取り付けて水平に固定するため、上記溝構造の開口３９に連通する展開支持溝４１を、上下方向で略対称にした形状で形成されている。
【０１１３】
最上段の背板ユニット３２となるキャップ４０は、他の背板ユニット３２より低い高さとなっている。このキャップ４０の下端面には、その下段の背板ユニット３２におけるフック鉤３６と噛み合うため、他の背板ユニット３２の結合構造と同様の係止鉤３７が形成されている。一方、上端面は、後述する棚板３３の小突起４６が掛止される段部４０ａが形成されただけの段差面となっていて、上記結合構造は形成されていない。尚、このキャップ４０も、アルミニウム押出成形材を使用するが、キャップ４０のみ、他の背板ユニット３２と異なるプラスチック等の材料で成形してもよい。
【０１１４】
棚板３３の基端部には、フックプレート４３が、先端部には、枠プレート４４が、それぞれ長手方向に沿って連続して形成されている。フックプレート４３は、図示する展開状態で、基端部において略垂直となるように起立し、展開支持溝４１に挿入し係合する形状となっている。また、枠プレート４４は、実線で図示する展開状態で、棚板３３の先端部から基端部方向に斜め上方に起立している。枠プレート４４は、収納支持溝４２に挿入されるものであり、このため、その傾斜角度は、収納支持溝４２の傾斜と略同じ角度となっている。枠プレート４４を、棚板３３の先端部に形成することにより、棚板３３が水平な展開状態で支持されている際に、棚板３３に載置された置物２の脱落を防止するように作用する。
【０１１５】
さらに、棚板３３には、展開状態で下面から略鉛直方向に垂設されるアングルプレート４５が形成されている。アングルプレート４５は、展開支持溝４１にフックプレート４３を係合し、実線で図示するように、棚板３３を水平な展開状態で支持する際に、背板ユニット３２の表面に沿って当接するもので、これにより、棚板３３が図中時計回りの回転モーメントに抗して、同方向に撓むことを防止するアングルブラケットとして作用する。
【０１１６】
アングルプレート４５の端部には、小突起４６が直交して連設されている。この小突起４６は、図中破線で示すように、棚板３３が、最上部のキャップ４０に吊り下げる場合に、その端部４０ａに掛け止めされ、棚板３３の落下を防ぐように作用する。
【０１１７】
棚板３３を展開状態に組み立てる場合には、棚板３３の基端部のフックプレート４３を、背板ユニット３２の開口３９から展開支持溝４１内に挿入し、フックプレート４３を展開支持溝４１へ係合させて、抜け止めするとともに、アングルプレート４５を背板ユニット３２の表面に当接させて水平に支持する。これにより、棚板３３は水平状態に保持されるため、商品や置物２の陳列が可能となる。
【０１１８】
また、最下段の背板ユニット３２Ａに対しては、棚板３３の上下面を反転させ、基端部側のフックプレート４３を取付溝４９に挿入し係合させるとともに、アングルプレート４５を背板ユニット３２の表面に凹設された受け凹部４７内に収容して位置決めする。これにより、上下面を反転させた棚板３３は、先端部の枠プレート４４が床面等に当接し、背板ユニット３２の底面と略平行に支持され、背板ユニット３２の倒れを防止する底板として作用する。また、反転させた棚板３３は、水平に支持されるので、商品、置物２を陳列する棚とすることもできる。
【０１１９】
一方、棚板３３を収納状態とする場合には、図８において破線で示すように、展開支持溝４１若しくは取付溝４９から棚板３３を引き抜いて外した後、先端部側の枠プレート４４を、背板ユニット３２のいずれかの開口３９から収納支持溝４２へ挿入し、背板ユニット３２の表面に沿って垂れ下げる。
【０１２０】
図示例では、棚板３３のフックプレート４３と枠プレート４４間の間隔Ｌが、背板ユニット３２における開口３９間のピッチＰより長いために、背板ユニット３２の開口３９の下方部位に、収納状態においてフックプレート４３との干渉を避ける逃げ溝４８が形成されている。従って、フックプレート４３が逃げ溝４８内に挿入され、棚板３３は、背板ユニット３２の表面に沿って配置され、嵩張らない収納状態とすることができる。
【０１２１】
また、棚板３３側の間隔Ｌと開口３９間のピッチＰのいずれかを調整することにより両者が略一致するように設定すれば、図中破線で示す収納状態において、棚板３３のフックプレート４３と枠プレート４４を、対応する逃げ溝４８と、開口３９へ挿入でき、逃げ溝４８を形成することなく、背板ユニット３２に沿って棚板３３を吊り下げ支持できる。
【０１２２】
棚板３３を、収納支持溝４２に掛けて吊り下げる場合に、アングルプレート４５は、背板ユニット３２から水平に突出して支持されるものとなり、収納状態であっても、アングルプレート４５を小棚として用いることができる。このとき、アングルプレート４５端部の小突起４６は、アングルプレート４５に載置される小物２の脱落を防ぐ枠プレートとして作用する。
【０１２３】
尚、最上段の背板ユニット３２であるキャップ４０には、他の背板ユニット３２と同様に、展開支持溝４１と収納支持溝４２を形成してもよいが、ここでは、上端に係合突起となる突部４０ｂを長手方向に沿って形成してなる段部４０ａに、アングルプレート４５の小突起４６を掛止自在とし、起立する背板ユニット３２に対して略平行に棚板３３（図８の左側上部の破線で示す棚板３３）を吊り下げ支持できるようにしてる。この場合においても、棚板３３を、背板ユニット３２に沿って嵩張ることのない収納状態で支持することができる。
【０１２４】
上述の実施の形態では、展開支持溝と収納支持溝を、背板ユニットの表、裏面一面にのみ形成する例で説明したが、それぞれ表、裏面の両面に形成するものであってもよい。同様に、最下段の背板ユニットに対し、底板となる棚板を一側のみから挿入して支持するものであったが、両側から一対の棚板を挿入しそれぞれを底板とすることもできる。
【０１２５】
また、上述の各実施の形態において、背板ユニット間を結合する結合構造では、一方の背板ユニットを上下方向から、背板ユニットへ棚板を支持する場合には、フックプレートを展開支持溝若しくは収納支持溝へ背板ユニットの表、裏面側から挿入するものであるが、結合又は支持する両者は、それぞれ長手方向に沿って同方向に直交する断面形状が同一形状で連続するので、一方を他方に対して長手方向にスライドして結合又は支持するものであってもよい。このように長手方向からスライドする組立方法を採用すれば、互いの結合部分の相補形状が複雑なものとなっても、組立の際に干渉することがなく、強い外力や回転モーメントに対して結合や支持が外れない複雑な形状とすることができる。
【０１２６】
図９は、背板ユニット５２、５２間の結合若しくは起立する背板ユニット５２に対して棚板５１を係合して支持する際に、一方を他方に対して長手方向にスライドして組み付ける第６実施の形態に係る組立式ラック５０を示すものである。
【０１２７】
組立式ラック５０は、同形状の複数の棚板５１（５１Ａ乃至５１Ｆ）を、上下４段に連結された背板ユニット５２に係合し組み付けたもので、最上段の背板ユニット５２と最下段の背板ユニット５２が、それぞれ他と異なる形状のキャップ５２Ａ、脚部ユニット５２Ｄとなっている。
【０１２８】
既述の各実施の形態と同様に、棚板５１と背板ユニット５２は、図９の紙面に直交する方向を長手方向とし、紙面と平行に切断した縦断面形状が長手方向に沿ったいずれの部位であっても同一形状に連続するように形成されている。
【０１２９】
キャップ５２Ａを除く各背板ユニット５２の上端面には、下広がりの凹溝５３が凹設され、その上段で隣接する背板ユニット５２の下端面から垂設された下広がりの凸条５４と係合することにより、上下背板ユニット５２、５２間ががたつきなく起立した状態で結合される。凹溝５３と凸条５４は、一方の背板ユニット５２を他方５４に対し長手方向にスライドさせて相互に係合させる。
【０１３０】
背板ユニット５２Ｂ、５２Ｃには、任意位置に展開支持溝と収納支持溝を兼ねた係合溝として作用するＶ字溝５５が長手方向に沿って形成されているが、凹溝５３と凸条５４からなる結合構造は、左右（表裏）対称であるので、同一形状の背板ユニット５２Ｂ、５２Ｃの一方の表裏面を交換することにより、Ｖ字溝５５の高さを変更することができる。
【０１３１】
棚板５１は、図に示す種々の姿勢で支持されるように、このＶ字溝５５に対して係合する複数の係合部５７、５８、５９を備えている。係合部５７は、棚板５１の基端部から、棚受け面５１ａと平行に突出する水平プレート、係合部５８は、基端部から棚受け面５１ａと直交する方向に突出するアングルプレート、係合部５９は、先端部から棚受け面５１ａと直交する方向に突出する枠プレートであり、それぞれその先端に、突出方向に直交して小突起５７ａ、５８ａ、５９ａが形成されている。
【０１３２】
水平プレート５７は、Ｖ字溝５５に係合して棚板５１を略水平に支持するもので、この組み付けは、図中の棚板５１Ａに示すように、水平プレート５７をＶ字溝５５の開口側に沿って挿入した後、図中の棚板５１Ｂに示すように、水平となるまで回転させる。水平に支持された状態で、アングルプレート５８は、起立する背板ユニット５２に当接するアングルブラケットとして、また、先端部の枠プレート５９は、棚受け面５１ａ上に載置された小物の落下防止にそれぞれ作用する。また、水平プレート５７の先端の小突起５７ａは、Ｖ字溝５５を形成する突部５５ａの内壁面に当接し、棚板５１の抜け止めとして作用する。
【０１３３】
水平プレート５７と、アングルプレート５８若しくは枠プレート５９の交差角度は直交するので、これにより、アングルプレート５８若しくは枠プレート５９をＶ字溝５５へ係合させると、棚板５１は、鉛直方向、すなわち起立する背板ユニット５２と略平行に支持される。
【０１３４】
図中、棚板５１Ｃは、先端側の枠プレート５９をＶ字溝５５へ係合させ、起立する背板ユニット５２と略平行に吊り下げ支持したものであり、この状態で、アングルプレート５８は、水平方向に突出する小棚として利用できる。このとき、アングルプレート５８先端の小突起５８ａは、小棚に縦置きしたＣＤ等の小物５の脱落防止に作用する。
【０１３５】
図中、棚板５１Ｄは、アングルプレート５８をＶ字溝５５へ係合させ、起立する背板ユニット５２と略平行に支持したものであり、係合状態では、アングルプレート５８の小突起５８ａがＶ字溝５５を形成する突部５５ａの内壁面に当接するので、棚板５１Ｄはがたつきなく背板ユニット５２に沿って位置決めされる。従って、背板ユニット５２に棚板５１を支持した状態で持ち運ぶ際に、棚板５１は、がたつかず、また脱落しにくいので、組立式ラック５０の移動が容易になる。
【０１３６】
尚、このアングルプレート５８とＶ字溝５５との係合は、棚板５１を背板ユニット５２に対して長手方向にスライドさせて行う。
【０１３７】
キャップ５２Ａの上端面には、結合構造となる凹溝５３を設けないので、デザイン上の要望に応じて種々の形状とすることができるが、ここでは、一対の吊り下げ溝５６、５６をその中央の長手方向に沿って形成している。吊り下げ溝５６は、棚板５１Ｅの枠プレート５９の小突起５９ａと係合し、図示するように、棚板５１Ｅを鉛直方向に吊り下げ支持する係合溝として作用するものである。吊り下げ支持された棚板５１Ｅは、棚板５１Ｃと同様に、アングルプレート５８が小棚として、その先端の小突起５８ａが小棚に載置した小物の脱落防止に作用する。尚、吊り下げ支持された状態で、水平プレート５７の小突起５７ａが当接する背板ユニット５２の部位に、逃げ凹部６０を凹設し、棚板５１Ｃ、５１Ｅを、背板ユニット５２に沿って支持させてもよい。
【０１３８】
脚部ユニット５２Ｄは、組立式ラック５０全体の転倒を防止するために、底板６１が水平方向に突設されているが、ここでは、その一方側の底板を、脚部ユニット５２ＤのＬ字溝６２に係合する棚板５１Ｆで代用している。
【０１３９】
すなわち、脚部ユニット５２Ｄの係合溝であるＬ字溝６２を、裏返した棚板５１Ｆの水平プレート５７と小突起５７ａの輪郭に合わせて形成し、水平プレート５７及び小突起５７ａと係合させることにより、棚板５１Ｆの回転を拘束して支持する。この係合した状態で、棚板５１Ｆのアングルプレート５８は、脚部ユニット５２Ｄの表裏面に当接するとともに、枠プレート５９の小突起５９ａは床面に当接し、組立式ラック５０全体の同方向への回転モーメントを受けとめる。
【０１４０】
Ｌ字溝６２と水平プレート５７及び小突起５７ａとの係合も、脚部ユニット５２Ｄに対して、裏返した棚板５１Ｆを長手方向にスライドして行う。
【０１４１】
尚、このように位置決め支持された棚板５１Ｆの裏面５１ｂは、床面と略水平となるので、裏面５１ｂ上へも置物５を配置することもできる。
【０１４２】
図１０と図１１は、背板ユニット６６の表裏面に形成した係合突起６７を、棚板６８に係合して棚板６８を支持する本発明の第７実施の形態に係る組立式ラック６５を示す側面図及び要部斜視図である。
【０１４３】
上下の背板ユニット６６、６６を相互に結合する結合構造は、第６実施の形態に係る凹溝５３と凸条５４の組み合わせで上下方向を逆転させただけの相違であるので、同一の番号を付してその説明を省略する。
【０１４４】
背板ユニット６６の表裏面に形成される係合突起６７は、円柱部とその基端側の連結部とで側面視鍵穴状で、図１０の紙面と直交する長手方向に沿って側面形状と同一の縦断面形状で連続している。
【０１４５】
棚板６８は、長方形板状で、係合突起６７と相補する縦断面形状が鍵穴状の第１係合凹部６９及び第２係合凹部７０が、基端面６８ａと裏面６８ｂの基端側に、それぞれの面に直交する内方に向かって凹設されている。このように、第１係合凹部６９と第２係合凹部７０は、互いの凹設方向が直交するので、第１係合凹部６９を係合突起６７へ係合させると、棚板６８は略水平に支持され、第２係合凹部７０を係合突起６７へ係合させると、棚板６８は背板ユニット６６と略平行に起立支持される。
【０１４６】
第１係合凹部６９若しくは第２係合凹部７０は、それぞれ棚板６８を背板ユニット６６に対して長手方向にスライドさせて係合突起６７に係合させるもので、係合状態では、棚板６８の基端面６８ａ若しくは裏面６８ｂが背板ユニット６６の表面若しくは裏面に密着し、棚板６８の回転が規制される。
【０１４７】
棚板６８の先端には、枠プレート７１が表面６８ｃ側に直交して形成され、棚板６８が、略水平に支持された状態では、表面６８ｃ上に載置した小物５の脱落を防止する様に作用する。
【０１４８】
図１０の棚板６８Ａ、６８Ｂのように、棚板６８は、先端側を上向き、若しくは下向きのいずれとしても、背板ユニット６６と略平行に起立支持することができ、先端を下向きとした棚板６８Ｂでは、枠プレート７１が水平方向に突出するので、小物５を載置する小棚とすることができる。
【０１４９】
図１１に拡大して示すように、棚板６８の長手方向と平行な先端面６８ｄには、先端面６８ｄに直交する方向に、背板ユニット６６の係合突起６７と同形状の連結突起７２が長手方向に沿って突設されている。この構成により、略水平に支持された棚板６８Ｃの連結突起７２に対して、同形状の棚板６８Ｄの第１係合凹部６９を長手方向に沿ってスライドさせ係合させると、棚板６８Ｃの先端面６８ｄと棚板６８Ｄの基端面６８ａが密着した状態で、棚板６８Ｄを略水平状態で棚板６８Ｃの先端側に連結させることができる。このようにして、棚板６８の棚受け面を載置する小物５の大きさに合わせて任意に拡大することができる。
【０１５０】
尚、ここでは、水平に連結される棚板６８Ｃと棚板６８Ｄは、同形状のものを用いているが、棚板６８Ｃの先端側端面（６８ｄ）に第１係合凹部６９が係合する背板ユニット６６の係合突起６７と同形状の連結突起７２を形成し、棚板６８Ｄの基端側端面６８ａに棚板６８Ｃの第１係合凹部６９と同形状の第１係合凹部６９が形成されるものであれば、棚板６８Ｃと棚板６８Ｄは、異なる形状であってもよい。また、裏面６８ｂを上面とした棚板６８Ｃに対して、表面６８ｃを上面とした棚板６８Ｄを連結しているが、これは、棚受け面に、表面６８ｃ側に突出する棚板６８Ｃの枠プレート７１が突出しないようにしたものである。しかしながら、棚板６８Ｃの表面６８ｃを上面としてもよく、この場合には、棚受け面の中間に突出する枠プレート７１が仕切り板として作用する。
【０１５１】
また、本実施の形態のように、背板ユニット６６側に係合突起６７を設ける場合には、棚受け面に棚板６８を係合するための突起を形成する必要がなく、小物５を安定して載置することができる。
【０１５２】
棚板６８の表面６８ｃ及び裏面６８ｂには、長手方向に沿って側板７３に係合し側板７３を長手方向に沿って摺動自在に案内するスライドガイド溝７４が凹設されている。従って、表裏面６８ｂ、６８ｃの長手方向に沿ったいずれの位置にもこれらと交差する方向に側板７３を配置し、棚受け面の仕切り板とすることができる。
【０１５３】
また、本実施の形態では、裏面６８ｂを上面とした棚板６８Ｅ、６８Ｆ、６８Ｇを用いて、組立式ラック６５の転倒防止用の底板としている。最下段の背板ユニット６６Ａの高さは、他の背板ユニット６６より低く、背板ユニット６６Ａの表裏両側から突出する係合突起６７、６７に棚板６８Ｅ、６８Ｆを係合させ略水平に支持した状態で、棚板６８Ｅ、６８Ｆから下方に突出する枠プレート７１が背板ユニット６６Ａの底面と平行な接地面に当接するようになっている。
【０１５４】
棚板６８Ｅ、６８Ｆの基端面６８ａと背板ユニット６６の表裏面は、密着した状態で、係合突起６７と第１係合凹部６９が係合するので、棚板６８Ｅ、６８Ｆは長手方向の軸回りの回転が拘束された状態で背板ユニット６６Ａに連結し、枠プレート７１が床面に当接することにより、組立式ラック６５の転倒を防止する。更に、図に示すように、同一構成の棚板６８Ｇを、回転を拘束した状態で棚板６８Ｆに水平に連結することができるので、底板として作用する背板ユニット６６Ａからの幅を任意に調整できる。
【０１５５】
尚、この第５乃至第７の実施の形態に係る組立式ラック３１、５０、６５に対しても、第２、第３の実施の形態で例示するような側板を、同様の方法で成形し、取り付けることができる。
【０１５６】
また、以上の実施の形態に係る背板ユニットと棚板を、アルミニウムで成形する場合には、種々の色に着色したカラーアルマイトを用いることができる。しかしながら、アルミニウムの他、プラスチックなど他の材料で成形するものであってもよい。
【０１５７】
また、背板ユニットと棚板は、長手方向に沿って同方向に直交する断面形状が同一形状で連続するものであるが、この形状は、押出成形の以外の例えば、射出成形により成形するものであってもよい。
【０１５８】
【発明の効果】
請求項１の発明によれば、背板ユニットと棚板が、長手方向に沿って同方向に直交する断面形状が同一形状で連続する形状なので、棚板を支持する係合溝や係合突起の形状を、任意で複雑な断面形状とすることができ、棚板が背板ユニットから脱落しにくい組立式ラックとすることができる。
【０１５９】
また、背板ユニットは、隣接する背板ユニット間と係合して積層自在に連結するので、ラック全体の高さを、用途に合わせて任意に変更できる。
【０１６０】
更に、棚板は、背板ユニットの係合溝若しくは係合突起に係合して組み付ける構造であるため、移動や持ち運びの際にコンパクトな形状に収めることができ、使用時には、工具を用いずに簡単に組み立てることができる。
【０１６１】
また、棚板の一対の係合部を背板ユニットの係合溝若しくは係合突起に対して係合し直すだけで、商品陳列のために棚板を略水平方向に支持する展開状態と、起立する背板ユニットに沿って略平行に支持する収納状態との形態変更を、特定の工具などを用いずに、簡単に行うことができる。
【０１６２】
背板ユニットには、同一の係合溝若しくは係合突起を形成するだけで、棚板を、略水平方向と略鉛直方向に支持できるので、成形が容易で、しかも背板ユニットの表裏面に係合溝や係合突起を形成するために生じる凹凸が減少し、美感を損なうことがなく、背板ユニットの構造強度が保たれる。
【０１６３】
請求項２の発明によれば、棚板を背板ユニットに対して略平行に支持する収納状態であっても、プレートが水平方向に突出するので、場所をとらない小物を載置する小棚となる。
【０１６４】
請求項３又は請求項４の発明によれば、棚板が略水平方向に連結自在とされるので、連結する棚板の数を調整して、略水平方向に支持される棚板の棚受け面の大きさを、載置する小物の大きさに合わせて調整できる。
【０１６５】
また、棚板を組立式ラックの転倒を防止する底板する場合にも、略水平方向に連結する棚板の数を調整して、底板の幅を任意に調整できる。
【０１６６】
請求項５と請求項８の発明によれば、長手方向に沿って同方向に直交する断面形状が同一形状で連続する背板ユニットと棚板は、収納支持溝や展開支持溝と、これらの溝に挿入されるフックプレートの縦断面形状を、任意で複雑な断面形状とすることができるので、棚の溝からの脱落を防止できる。
【０１６７】
背板ユニットは、隣接する背板ユニット間と係合して積層自在に連結するので、ラック全体の高さを、用途に合わせて任意に変更できる。
【０１６８】
棚板は、フックプレートの挿入により組み付けられる構造であるため、背板ユニットと棚板を個々に分離することができ、移動や持ち運び等の取り扱い性が飛躍的に向上する。
【０１６９】
商品陳列のための展開状態及び格納のための収納状態の形態変更は、背板ユニットの展開支持溝と収納支持溝間で、棚板のフックプレートを差し替えるだけなので、特定の工具などを用いずに、簡単に行うことができる。
【０１７０】
請求項６の発明によれば、棚板の向きとフックプレートの挿入角度を変更するだけで、棚板を展開状態と収納状態間で変更できる。
【０１７１】
また、展開支持溝と収納支持溝を一つの共通支持溝で兼用できるので、その形状が単純化し、成形用の金型の加工が容易である。
【０１７２】
また、背板ユニットの表裏面に支持溝を形成するために生じる凹凸が減少し、美感を損なうことがなく、更に、支持溝による空隙比率が減少するので背板ユニット全体の構造強度が保たれる。
【０１７３】
請求項７と請求項１０の発明によれば、底板に、棚板を兼用できるので、部品点数が減少し、また、棚板と同様の方法で取り付けるので、組立方法が簡易である。
【０１７４】
請求項９の発明によれば、展開状態で、アングルプレートはアングルブラケットとして作用するので、棚板が置物によって大きな荷重を受けても、破断や撓みが生じることがなく、確実に水平に支持できる。
【０１７５】
また、棚板が起立する背板ユニットと平行に支持される収納状態で、アングルプレートは、水平に突出するので、場所をとらない小物を載置する小棚とすることができる。
【０１７６】
また、請求項１１の発明によれば、背板ユニットの表裏面に、共通の開口のみが表れるので、美感を損なうことがなく、背板ユニットの構造強度が保たれる。
【０１７７】
請求項１２の発明によれば、棚板を収納状態とする際に、棚板を背板ユニットに密着して平行に支持できるので、よりコンパクトに全体を格納できる。
【０１７８】
請求項１４の発明によれば、背板ユニットの向きを変更するだけで、棚の突出方向を変更できる。
【０１７９】
請求項１３の発明によれば、棚板の側方に側板が支持されることにより、棚板上の商品の側方への落下を防止できる。
【０１８０】
請求項１４の発明によれば、表裏いずれにも、棚を水平に支持でき、両側に棚を支持する場合には、背板ユニットに働く回転モーメントが相殺され、ラック全体が倒れにくい。
【０１８１】
請求項１５の発明によれば、側板を棚板上の長手方向に沿った任意の位置に支持することができ、棚板の棚受け面をしきる仕切り板として作用させることができる。
【０１８２】
請求項１６の発明によれば、背板ユニットと棚板は、アルミニウム押出成形材からなるので、軽量で、錆が発生することがなく、屋外の使用に耐えることができ、汎用性のあるラックとすることができる。また、アルミニウム押出成形材によって形成するため、複雑な形状の結合構造や個々の断面形状を、押出成形の際に同時に所望のまま簡単に形成できる。
【図面の簡単な説明】
【図１】本発明の第１実施の形態に係る組立式ラック１の斜視図である。
【図２】図１の組立式ラック１の側面図である。
【図３】収納状態を示す組立式ラック１の側面図である。
【図４】第１実施の形態のラック１に、側板１７を更に組み付けた第２の実施の形態を示す斜視図である。
【図５】第１実施の形態のラック１に、他の方法で側板を組み付ける第３の実施の形態を示す斜視図である。
【図６】第４実施の形態に係る組立式ラック９の斜視図である。
【図７】結合構造の一例を示す要部断面図である。
【図８】収納状態とする方法が異なる本発明の第５の実施の形態に係る組立式ラック３１を示す縦断面図である。
【図９】本発明の第６実施の形態に係る組立式ラック５０を示す側面図である。
【図１０】本発明の第７実施の形態に係る組立式ラック６５を示す側面図である。
【図１１】組立式ラック６５の要部分解斜視図である。
【図１２】従来の組立式ラックの斜視図である。
【符号の説明】
１、９、３１、５０、６５  組立式ラック
２、３２、５２、６６      背板ユニット
２ａ                      背板ユニットの表面
３、３３、５１、６８      棚板
６、５２Ｄ                脚部ユニット（背板ユニット）
７、５４                  凸条（結合構造）
８、５３                  凹溝（結合構造）
１０、４１                展開支持溝
１１、４２                収納支持溝
１２、３９                開口
１３、１５                フックプレート
１６                      共通支持溝
１７、１８、２０、２１、７３  側板
１７ｂ                    係止プレート
１８ａ                    係合プレート
１９                      ガイド溝（スライドガイド部）
３２Ａ                    最下段の背板ユニット
３６                      フック鉤（結合構造）
３７                      係止鉤（結合構造）
３９                      開口
４３                      フックプレート
４４、５９、７１          枠プレート（係合部）
４５、５８                アングルプレート
４９                      取付溝
５５                      Ｖ字溝（係合溝）
５７                      水平プレート（係合部）
５８                      アングルプレート（係合部）
６７                      係合突起
６８ａ                    棚板の基端側端面
６９                      第１係合凹部（係合部）
７０                      第２係合凹部（係合部）
７２                      連結突起（係合突起）
７４                      スライドガイド溝（スライドガイド部）
【図１】
0003595548.tif 000002
【図２】
0003595548.tif 000003
【図３】
0003595548.tif 000004
【図４】
0003595548.tif 000005
【図５】
0003595548.tif 000006
【図６】
0003595548.tif 000007
【図７】
0003595548.tif 000008
【図８】
0003595548.tif 000009
【図９】
0003595548.tif 000010
【図１０】
0003595548.tif 000011
【図１１】
0003595548.tif 000012
【図１２】
0003595548.tif 000013